(57)【要約】      （修正有）【課題】大規模な基礎を支えるため基礎杭の地耐力を増加する。【解決手段】多数本を長手方向に連結して建物等の基礎を支える長尺のコンクリート基礎杭１に於いて、その連結箇所に中空の連結部材３を介在させて、上下の基礎杭１を連結すると共に、この部材の中空の場所にとがった山形の両側の傾斜に傾斜案内部４とこの傾斜に続いて両側面に四角孔５を設け、薄肉の角鋼管材より製作し、外力により僅かに屈曲可能な２本の腕形部材６を連結部材３の中空場所に上から差し込み、その頭部を打撃又は押圧して傾斜案内部４に突当て無理に押し曲げて、四角孔５より突き出させて連結部材の左右両外側に２本の腕を形成し、その内部に補強用鉄筋を数本挿入した後、この中にコンクリートを圧入し腕形部材６の内部空間から、又、腕形部材周辺の隙間より洩れたコンクリートにより腕形部材６及び連結部材３周辺にコンクリートの被覆をほどこすようにした地耐力強化のコンクリート基礎杭。【選択図】図１
0003132712.tif 000002
【実用新案登録請求の範囲】
【請求項１】
多数本を長手方向に連結して建物等の基礎を支える長尺のコンクリート基礎杭１に於いて、その連結箇所に中空の連結部材３を介在させて、上下の基礎杭１を連結すると共に、この部材の中空の場所にとがった山形の両側の傾斜に傾斜案内部４とこの傾斜に続いて両側面に四角孔５を設け、薄肉の角鋼管材より製作し、外力により僅かに屈曲可能な２本の腕形部材６を連結部材３の中空場所に上から差し込み、その頭部を打撃又は押圧して傾斜案内部４に突当て無理に押し曲げて、四角孔５より突き出させて連結部材の左右両外側に２本の腕を形成し、その内部に補強用鉄筋８を数本挿入した後、この中にコンクリートを圧入し、腕形部材６の内部空間から又、腕形部材周辺の隙間より洩れたコンクリートにより腕形部材６及び連結部材３周辺にコンクリートの被覆９をほどこすようにした地耐力強化のコンクリート基礎杭
【考案の詳細な説明】
【技術分野】
【０００１】  高層建築物及び大型構造物等の大規模な基礎を支えるコンクリート基礎杭の分野
【背景技術】
【０００２】  建物及び構造物等の重量増加に対し、現在は基礎杭を地中深くまで多数本埋設するか、又は基礎面積あたりの本数を増加する以外有効な対策が取られていない。又地震による地盤流動化に対する恐れも増加している。
【考案の開示】
【考案が解決しようとする課題】
【０００３】  建物及び構造物の基礎の地耐力を増すためにはコンクリート基礎杭、１本あたりの地耐力を増加する方法を開発する。
【課題を解決するための手段】
【０００４】  地中深く連結して埋設される数多くのコンクリート杭の地表に近い連結部、中間部の連結部、深い位置の連結部に本案の連結部材３を介在させ、ここに腕形部材６をほぼ水平に左右に２本宛土中に突出させる。【０００５】  上の連結部材及び腕形部材の構造の一例を図により説明する。
多数本を長手方向に連結して建物等の基礎を支える長尺のコンクリート基礎杭１に於いて、その連結箇所に中空の連結部材３を介在させて、上下の基礎杭１を連結すると共に、この部材の中空の場所にとがった山形の両側の傾料に傾斜案内部４とこの傾斜に続いて両側面に四角孔５を設け、薄肉の角鋼管材より製作し、外力により僅かに屈曲可能な２本の腕形部材６を連結部材３の中空場所に上から差し込み、その頭部を打撃又は押圧して傾斜案内部４に突当て無理に押し曲げて、四角孔５より突き出させて連結部材の左右両外側に２本の腕を形成し、その内部に補強用鉄筋８を数本挿入した後、この中にコンクリートを圧入し、腕形部材６の内部空間から又、腕形部材周辺の隙間より洩れたコンクリートにより腕形部材６及び連結部材３周辺にコンクリートの被覆９をほどこすようにした地耐力強化のコンクリート基礎杭である。
【考案の効果】
【０００６】  本案の連結部材３より、ほぼ水平に土中に突出される腕形部材６は連結したコンクリート基礎杭の地表に近い個所、中間の個所、及び地中深い個所まで形成されるため、地表に近い場所での横方向の外力、地中深い場所での地耐力まで向上させることが可能となる。
【考案を実施するための最良の形態】
【０００７】  最初、地表を図１の点線のようにボーリングして孔をあけ、コンクリート杭１−１の上に腕形部材６を２本を差し込んだ鉄製の連結部材３を取付け、その上に鞘鋼管１１を載せた一式を孔底まで降下した後、腕形部材６の頭部を打撃棒１０で打ち、図２のように連結部材２の両外側に腕を突き出す、次ぎに鋼管１０の内部に杭接合環２を取付けたコンクリート杭１−２と連結部材３と腕形部材６を取付けた杭１−３を降下した後、鞘鋼管１１を図３の位置まで引き上げ後、腕形部材６の頭を打撃棒１０で打ち図４のように連結部材３の両外側に腕を突き出す、以降杭接合環２を取付けたコンクリート杭１−４を降下する、以降、同様な作業を継続する。【０００８】  連結部材３の中空の場所にとがった山形の両側の傾斜に傾斜案内部４とこの傾斜に続いて両側面に四角孔５を設け、薄肉の角鋼管材より製作し、外力により僅かに屈曲可能な２本の腕形部材６を連結部材３の中空場所に上から差し込み、その頭部を打撃又は押圧して傾斜案内部４に突当て無理に押し曲げて、四角孔５より突き出させて連結部材の左右両外側に２本の腕を形成し、その内部に補強用鉄筋８を数本挿入した後、この中にコンクリートを圧入し、腕形部材６の内部空間から又、腕形部材周辺の隙間より洩れたコンクリートにより腕形部材６及び連結部材３周辺にコンクリートの被覆９をほどこすようにしてコンクリートで包まれた塊を土中に作る。これにより猶一層地耐力を高めることが出来る。【０００９】  腕形部材６は図８に示すように薄肉の角鋼材より製作され、打込みにより連結部材３の内部の傾斜案内部４で押し曲げることが出来るように縦方向と横方向の切り込み７を設けた形状にしている。猶２本同時に打込みうるように２本の上部を溶接で接合しておくと便利である。
【産業上の利用可能性】
【００１０】  連結部材の中より腕のように突出する腕形部材を１本だけとし長くすることにより傾斜地の土留用杭として利用することが出来る。
【図面の簡単な説明】
【００１１】
【図１】  本案に係わる実施例を示すものであって、この施工例を示す縦断面図
【図２】  図１の施工の次の工程を示す縦断面図
【図３】  図２の施工の次の工程を示す縦断面図
【図４】  図３の施工の次の工程を示す縦断面図
【図５】  本案の連続部材３周辺の縦断面図
【図６】  同上の側面図
【図７】  図５のＡ−Ａ断面図
【図８】  本案の腕形部材６の縦断面図
【図９】  図８のＢ−Ｂ断面図
【符号の説明】
【００１２】１−１・・・コンクリート杭            １−２・・・コンクリート杭
１−３・・・コンクリート杭            １−４・・・コンクリート杭
１−５・・・コンクリート杭                ２・・・杭接合環
３・・・連結部材                      ４・・・傾斜案内部
５・・・四角孔                        ６・・・腕形部材
７・・・切込み                        ８・・・補強用鉄筋
９・・・コンクリートの被覆          １０・・・打撃棒
１１・・・鞘鋼管
【図１】
0003132712.tif 000003
【図２】
0003132712.tif 000004
【図３】
0003132712.tif 000005
【図４】
0003132712.tif 000006
【図５】
0003132712.tif 000007
【図６】
0003132712.tif 000008
【図７】
0003132712.tif 000009
【図８】
0003132712.tif 000010
【図９】
0003132712.tif 000011